(57)【要約】【課題】塗膜転写具テープ部材の転向装置を提供する。【解決手段】本体、第１案内ブロックと、第２案内ブロックとを含む。本体は第１端と、第２端とを有し、第１端は塗膜転写具のハウジングに制限され、第２端は前記ハウジングから露出して、転写ヘッドを設ける。本体は第１表面と第２表面とを有する。前記本体はテープ部材によって２つの表面に繞設に提供する。第１案内ブロックと、第２案内ブロックは本体の第１端に設け、２つの案内ブロックは、２つの表面にそれぞれ設ける。第１案内ブロックはテープ部材を転向させ、第２案内ブロックはテープ部材を元の方向に戻す。前記テープ部材は２つの案内ブロックを配置することにより、テープ部材は転写ヘッドの場所でずれないように制御される。【選択図】図４
2011042111.tif 000002
【特許請求の範囲】
【請求項１】
以下を含む塗膜転写具テープ部材の転向装置であって、
本体は第１端と、第２端とを有し、前記第１端は塗膜転写具のハウジングに制限され、前記第２端は前記ハウジングから露出して転写ヘッドを設け、前記本体は第１表面と第２表面とを有し、前記本体はテープ部材によって、前記２つの表面に繞設させ、
第１案内ブロックは前記本体の前記第１端に設け、前記第１案内ブロックは前記第１表面に設け、前記第１案内ブロックに第１接触面を有し、前記テープ部材を転向させて前記転写ヘッドに案内し、および
第２案内ブロックは前記本体の第１端に設け、前記第２案内ブロックは前記第２表面に設け、前記第２案内ブロックは第２接触面を有し、前記テープ部材を元の方向に戻し、前記２つの案内ブロックによって、前記テープ部材は前記転写ヘッドの場所でずれないように制御される。
【請求項２】
前記第１接触面と前記本体の前記第１表面との間に傾斜角を有し、前記第１接触面は前記第１端と、前記第２端とを含み、前記第１接触面の前記第１端は前記本体の前記第１表面に接続し、前記第１接触面の前記第２端は前記本体の一端に近接し、前記傾斜角の角度範囲は９０ｏ〜１５０ｏの間に設けることを特徴とする請求項１記載の塗膜転写具テープ部材の転向装置。
【請求項３】
前記第２接触面と、前記本体の前記第２表面との間に傾斜角を有し、前記傾斜角を９０ｏに設けることを特徴とする請求項１または請求項２記載の塗膜転写具テープ部材の転向装置。
【請求項４】
前記本体の軸方向に軸線を有し、前記第２案内ブロックは軸線を越えないように、前記本体の一端から前記第２接触面に伸ばし、前記第２接触面と前記軸線との間に距離を有し、前記テープ部材が前記転写ヘッドの場所でずれないように制御し、前記第２接触面と軸線との距離は０〜１ｃｍであることを特徴とする請求項１記載の塗膜転写具テープ部材の転向装置。
【請求項５】
前記２つの案内ブロックと前記転写ヘッドとの距離及び、テープ部材の幅との比値は少なくとも３であることを特徴とする請求項１または請求項２記載の塗膜転写具テープ部材の転向装置。
【請求項６】
前記本体の前記第１端は、２つの対向する第１と第２側壁とを設け、前記第１と第２側壁は、前記本体の２つの表面と垂直に交差し、かつ前記２つの案内ブロックは前記第１側壁に近接し、前記第１表面と前記第２表面の軸方向に突起部をそれぞれ形成し、前記テープ部材を順調に案内するため、前記第１接触面と前記第２接触面に案内部を有することを特徴とする請求項１記載の塗膜転写具テープ部材の転向装置。
【請求項７】
前記テープ部材は転写フィルムを有し、前記テープ部材は前記転写ヘッドの場所で前記転写フィルムを被転写物に転写することを特徴とする請求項１記載の塗膜転写具テープ部材の転向装置。
【発明の詳細な説明】
【技術分野】
【０００１】
本発明は一種の塗膜転写具テープ部材の転向装置に係わり、特に一種のテープ部材の前進方向を制御可能な転向装置に係わる。
【背景技術】
【０００２】
米国特許番号７２２８８８２号はクッション付き転写ヘッドを有する塗膜転写具(ＴＡＰＥ  ＤＩＳＰＥＮＳＥＲ  ＷＩＴＨ  Ａ  ＣＵＳＨＩＯＮＥＤ  ＡＰＰＬＩＣＡＴＯＲ  ＴＩＰ）において主に転写ヘッド２８を２つのケーシング４７、４９内部に取り付け、転写ヘッド２８一端の両側にそれぞれ連動部９０を突き出して設け、ケーシング４９開口部の近傍に２本の支え棒９２を設け、支え棒９２に凹み弓状部を設け、転写ヘッド２８の連動部９０をケーシング４９の支え棒９２の凹み弓状部にあてがい、転写ヘッド２８に制限と固定効果を提供する。一方、転写棒３８は供給リール２４を転写ヘッド２８に案内し、ねじれて芯テープ３２の方向を改変した後、転写棒３８により、芯テープ３２を転向させ、リール２６に戻す、一種の側面塗膜転写具が開示されている。
【先行技術文献】
【特許文献】
【０００３】
【特許文献１】米国特許番号７２２８８８２号
【発明の概要】
【発明が解決しようとする課題】
【０００４】
この種の転写棒３８による芯テープ３２転向の設計には、芯テープ３２が転写ヘッド２８の側壁に癒着する恐れがある。さらに、ヘッド側３０の芯テープ３２がずれて、中央部で安定に保持することができない。これは芯テープ３２が転写棒３８上に摺動し、芯テープ３２を絡めてしまい。特に粘着式の芯テープ３２は転写ヘッド２８への癒着が発生しやすい。それに加えて、芯テープ３２のずれと芯テープ３２の絡め合う問題等は改良の必要がある。
【０００５】
本発明人は前記課題を鑑みて、前記の設計課題を確実に解決でき、かつ塗膜転写具テープ部材の転向装置耐用性と利便性を向上し、使用者の期待に満足することを図る。
【課題を解決するための手段】
【０００６】
先行技術の耐用性と使用が便利でない欠点があり、改良の必要がある。本発明に係る塗膜転写具テープ部材の転向装置は、前記課題に対してなされるものである。
【０００７】
本発明に係る塗膜転写具のテープ部材は、主に第１案内ブロックによってテープ部材を転向させ、第２案内ブロックによってテープ部材を元の方向に戻す。さらに、２つの案内ブロックの配置により、テープ部材は転写ヘッドでずれないように制御される。
【０００８】
第１案内ブロックの第１接触面と本体との間に傾斜角を有し、第１案内ブロックはテープ部材の転向を手伝い、テープ部材を転写ヘッドへ順調に移動させる。
【０００９】
第２案内ブロックと転向装置本体との距離を制御し、テープ部材が転写ヘッド位置でのずれを防止する。
【００１０】
２つの案内ブロックと転写ヘッドとの距離およびテープ部材の幅に適切な比の値を有し、テープ部材が転写ヘッドでの折り返しをほぼ平坦面に形成する。
【００１１】
その他目的、長所ならびに本発明の新規性は以下の詳細説明と関連図面を添付して、説明する。
【発明の効果】
【００１２】
以下の説明内容から、本発明は以下の長所を有する。
イ、本発明に係る塗膜転写具テープ部材の転向装置によれば、２つの案内ブロックはテープ部材を転写ヘッドの進路方向に制御され、テープ部材のずれによる転写作業の安定性への影響を防止される。
【００１３】
ロ、本発明に係る塗膜転写具テープ部材の第１案内ブロックの第１接触面と本体との間に傾斜角を有し、傾斜角の角度範囲は９０ｏ〜１５０ｏの間に設けて、第１案内ブロックよりテープ部材の折り返しを手伝う効果を実現し、テープ部材を転写ヘッドへ順調に移動される。
【００１４】
ハ、本発明に係る塗膜転写具テープ部材の第２案内ブロックと軸線との距離は０〜１ｃｍに設け、テープ部材が転写ヘッドの場所のずれが防止される。
【００１５】
二、本発明に係る塗膜転写具テープ部材の２つの案内ブロックと転写ヘッドとの距離およびテープ部材の幅との比値を少なくとも３に設けることにより、テープ部材が転写ヘッドでの折り返しをほぼ平坦面に形成される。
【００１６】
以上に説明したものは、本発明の好ましい実施例であり、本発明実施の範疇に制限を加わるべきではなく、本発明による数値的の変更又は等価素子の置き換え、若しくは本発明の特許請求の範囲による変更又は修整とも本発明の特許範疇に含まれるものである。
【図面の簡単な説明】
【００１７】
【図１】本発明に係る塗膜転写具の外観図。
【図２】本発明に係る塗膜転写具の立体分解図。
【図３】本発明に係る塗膜転写具の転向装置の立体外観図。
【図４】本発明に係る図３の側面図。
【図５】本発明に係る図３の背面図。
【図６】本発明に係る転向装置と芯テープ装置の組み合わせ態様図。
【図７】本発明係る図６の断面態様図。
【図８】本発明に係る図６正面図。
【図９】本発明に係る図６の背面図。
【発明を実施するための形態】
【００１８】
本発明による技術、手段ならびに効果は、好ましい実施例と図式を合わせて、以下の通り説明する。ただし、本発明の請求範囲はこれらの構造に制限されない。
【実施例】
【００１９】
図１、２、本発明に係る塗膜塗膜転写具の立体外観図と立体分解図を参照する。塗膜転写具はハウジング１を含み、芯テープ装置２と転向装置３とを内設し、転向装置３は塗膜転写具のハウジング１に制限され、テープ部材Ｓは芯テープ装置２の供給リールによって、転向装置３に案内された後、再び芯テープ装置２を供給リールに案内する。転向装置３はテープ部材Ｓを９０度方向に転向させ、塗膜転写具の側面による転写作業を提供する。そのうち、テープ部材Ｓは転写テープまたは粘着テープなど、いずれの粘着転写機能を有するフィルムである。
【００２０】
図３ないし５を合わせて参照する。転向装置３は本体１０、第１案内ブロック２０と第２案内ブロック３０とを含む。そのうち、前記本体１０は第１端１０１と、第２端１０２とを有し、第１端１０１は塗膜転写具のハウジング２に制限され、第２端１０２は転写ヘッド４０に接続して転写作業に提供する。本体１０は平板状を形成し、２つの対向する表面１１、１２を有し、前記本体１０の２つの表面１１、１２はテープ部材Ｓの繞設に提供し、第１表面１１と第２表面１２の軸方向に突起部１１１、１２１をそれぞれ形成することにより、先にテープ部材Ｓに接触させ、テープ部材Ｓと本体１０の２つの端面１１、１２との接触面積を減少し、癒着を避ける。
【００２１】
本体１０の第１端１０１に、２つの対向する第１、第２側壁１３、１４を設け、前記第１と第２側壁１３、１４と、前記本体１０の２つの表面１１、１２が垂直に交差し、第１、第２側壁１３、１４はハウジング１に制限させ、転向装置３の移動を抑制する。
【００２２】
転向装置３は本体１０の軸方向に沿って仮想の軸線Ｈを有し、前記本体１０は軸線Ｈを軸として、左右がほぼ釣り合う形状を形成する。
【００２３】
第１案内ブロック２０は本体１０の第１表面１１に形成し、前記第１案内ブロック２０は本体１０の第１側壁１３に近接し、第１案内ブロック２０は第２表面１２の反対方向に伸ばす。前記第１案内ブロック２０は本体１０の第１端１０１の端部に取付けて、テープ部材Ｓを転向させ、本体１０の第１表面１１への進入を案内する。第１案内ブロック２０に第１接触面２１を有し、前記第１接触面２１に案内部２１３を有し、テープ部材Ｓとの接触ならび順調にテープ部材Ｓを案内する。前記第１接触面２１は第１端２１１と第２端２１２とを含み、第１端２１１は本体１０の第１表面１１に接続し、第２端２１２は前記本体１０の第１側壁１３に近接し、テープ部材Ｓが第２端２１２より抜け出すことを防止する。第１接触面２１と本体１０の第１表面１１との間に傾斜角αを有し、前記傾斜角αの角度範囲は９０ｏ〜１５０ｏとの間に設け、テープ部材Ｓの折り返しに手伝う。テープ部材Ｓは第１案内ブロック２０の案内により、順調に移動できる。本実施例において、前記第１接触面２１と本体１０の第１表面１１との傾斜角αは１４０ｏである。
【００２４】
第２案内ブロック３０は本体１０の第２表面１２に形成し、前記第２案内ブロック３０は本体１０の第１側壁１３に近接し、第２案内ブロック３０は第１表面１１の反対方向に伸ばす。前記第２案内ブロック３０は本体１０の第１端１０１の端部に取付けて、テープ部材Ｓを芯テープ装置２に案内して戻す。第２案内ブロック３０は第２接触面３１を有し、前記第２接触面３１は案内部３１１を有し、テープ部材Ｓとの接触ならび順調にテープ部材Ｓを案内する。前記第２接触面３１と本体１０の第２表面１２との間に傾斜角βを有し、前記傾斜角βは９０ｏを設け、第２接触面３１と第２表面１２とを垂直させ、前記第２案内ブロック３０によってテープ部材Ｓを芯テープ装置２に戻す方向へ案内し、使用済みのテープ部材Ｓの収納に便利を提供する。第２案内ブロック３０は軸線Ｈを越えないように、本体１０一端の第１側壁１３から前記第２接触面３１に伸ばしておき、かつ第２案内ブロック３０の第２接触面３１と軸線Ｈとの間に距離Ｃを有する。本実施例において、前記第２案内ブロック３０の第２接触面３１と軸線Ｈとの距離Ｃは０〜１ｃｍとの間に設け、前記第２接触面３１と軸線Ｈとの距離Ｃは０が好ましい。距離Ｃが１ｃｍを超えると、テープ部材Ｓの折り返し場所にずれを生じやすく、転写ヘッド４０の転写の安定性に影響する。ただし、前記距離Ｃの値は本実施例の見本値であり、塗膜転写具の大きさと関係する。よって、本発明の距離Ｃの範囲は、この限りでない。
【００２５】
図６ないし９に、本発明に係る転向装置と芯テープ装置との組み合わせた態様図を参照する。テープ部材Ｓの進路方向は、第１案内ブロック２０の案内により、本体１０の第１表面１１に進入する。第１接触面２１と本体１０の第１表面１１との傾斜角αは９０ｏ〜１５０ｏの間に設ける(図４に示す通り)ことにより、第１案内ブロック２０の第１接触面２１によってテープ部材Ｓの折り返しに手伝うと共に、テープ部材Ｓが転写ヘッド４０の場所でずれないように制御し、テープ部材Ｓと本体１０との接触を防止し、テープ部材Ｓを順調に移動させる。引き続き、テープ部材Ｓの進路方向は、本体１０の第１表面１１から転写ヘッド４０を回って、本体１０の第２表面１２に移動される。最後に、テープ部材Ｓの進路方向は、第２接触面３１によって芯テープ装置２に案内され、第２案内ブロック３０は軸線Ｈを越えないように、本体１０一端の第１側壁１３から第２接触面３１に伸ばすことにより、テープ部材Ｓをずれないように、転写ヘッド４０の場所で中央部に保持する。２つの案内ブロック２０、３０と転写ヘッド４０との間に距離Ｄ１を有し、テープ部材Ｓに幅Ｄ２を有し、２つの案内ブロック２０、３０と転写ヘッド４０との距離Ｄ１およびテープ部材の幅Ｄ２との比値を少なくとも３に設け、テープ部材Ｓが転写ヘッド４０での折り返しをほぼ平坦面に形成する。
【００２６】
テープ部材Ｓは転写フィルムを有する。テープ部材Ｓは転写ヘッド４０場所を通過すると、テープ部材Ｓ上の転写フィルムは被転写物に転写される。テープ部材Ｓは芯テープ装置２より第１案内ブロック２０を通過し転写ヘッド４０の前に、テープ部材Ｓに転写フィルムを有し、テープ部材Ｓは転写ヘッド４０の場所で、転写フィルムを被転写物に転写される。よって、テープ部材Ｓが転写ヘッド４０を通過した後、転写フィルムを有しないテープ部材Ｓとなり、引き続き、第２案内ブロック３０を通過し転向した後に、芯テープ装置２に巻き戻される。
【００２７】
本発明によれば、塗膜転写具テープ部材の転向装置は本体、第１案内ブロックと、第２案内ブロックとを含み、本体は第１端と第２端とを有し、第１端は塗膜転写具のハウジングに制限され、第２端はハウジングから露出し、前記ハウジングに転写ヘッドを設ける。本体は第１表面と第２表面とを有し、本体の２つの表面にテープ部材を巡らせて設ける。第１案内ブロックと第２案内ブロックは本体の第１端に設け、かつ２つの案内ブロックは２つの表面にそれぞれ設ける。第１案内ブロックによってテープ部材を転向させ、第２案内ブロックによってテープ部材を元の方向に戻す。テープ部材は２つの案内ブロックを配置することにより、テープ部材は転写ヘッドの場所でずれないように制御される。
【符号の説明】
【００２８】
１      ハウジング
２      芯テープ装置
３      転向装置
１０    本体
１０１  第１端
１０２  第２端
１１    第１表面
１１１  突起部
１２    第２表面
１２１  突起部
１３    第１側壁
１４    第２側壁
２０    第１案内ブロック
２１    第１接触面
２１１  第１端
２１２  第２端
２１３  案内部
３０    第２案内ブロック
３１    第２接触面
３１１  案内部
４０    転写ヘッド
Ｈ      軸線
Ｓ      テープ部材
Ｃ      間隔
Ｄ１    距離
Ｄ２    幅
α      傾斜角
β      傾斜角
【図１】
2011042111.tif 000003
【図２】
2011042111.tif 000004
【図３】
2011042111.tif 000005
【図４】
2011042111.tif 000006
【図５】
2011042111.tif 000007
【図６】
2011042111.tif 000008
【図７】
2011042111.tif 000009
【図８】
2011042111.tif 000010
【図９】
2011042111.tif 000011